(57)【要約】サーフボードを損傷させないサーフリーシュ、および同サーフリーシュの製造方法を開示する。サーフリーシュは、クッションボードストラップ（２０）と、足首ストラップ（５０）と、クッションボードストラップを足首ストラップに連結させる連結部品とを備える。足首ストラップは、緩衝材を備え得る。クッション構成要素は、複数の緩衝材を有する加熱プレスされた細長片（３０）から形成されている。
2004526615.tif 000002
【特許請求の範囲】
【請求項１】
サーフボードに取り付けられるサーフリーシュのためのボードストラップであって、
ａ）サーフボードの損傷を防ぐよう構成され、かつ第一端と、該第一端の反対側の第二端と、複数の加熱プレスされた緩衝材とを有するクッションストラップ部材と、
ｂ）前記クッションストラップ部材の第一端において前記クッションストラップ部材に連結された連結具とを備えるボードストラップ。
【請求項２】
請求項１に記載のボードストラップであって、さらにボード繋留要素を備え、該ボード繋留要素は、前記クッションストラップ部材の第二端に連結されているボードストラップ。
【請求項３】
請求項２に記載のボードストラップであって、さらに調整可能なストラップを備え、前記ボード繋留要素は、該調整可能なストラップを介して前記クッションストラップ部材に取り付けられているボードストラップ。
【請求項４】
請求項３に記載のボードストラップであって、前記調整可能なストラップは面ファスナを用いているボードストラップ。
【請求項５】
請求項１に記載のボードストラップであって、前記クッションストラップ部材は、ポリマー多孔質発泡体材料から形成されているボードストラップ。
【請求項６】
請求項１に記載のボードストラップであって、前記クッションストラップ部材はゴム材料から形成されているボードストラップ。
【請求項７】
請求項６に記載のボードストラップであって、前記ゴム材料はネオプレンであるボードストラップ。
【請求項８】
サーフリーシュのための足首ストラップであって、
ａ）第一端と、該第一端の反対側の第二端と、複数の加熱プレスされた緩衝材とを有するクッションストラップ部材と、
ｂ）調整ストラップとを備え、前記調整ストラップは、前記第一端を前記第二端に輪状に取り付け、前記調整ストラップは、前記クッションストラップ部材の周長を変更することが可能である足首ストラップ。
【請求項９】
請求項８に記載の足首ストラップであって、前記クッションストラップ部材は、ポリマー多孔質発泡剤材料から形成されている足首ストラップ。
【請求項１０】
請求項８に記載の足首ストラップであって、前記クッションストラップ部材は、ゴム材料から形成されている足首ストラップ。
【請求項１１】
請求項１０に記載の足首ストラップであって、前記ゴム材料はネオプレンである足首ストラップ。
【請求項１２】
請求項８に記載の足首ストラップであって、前記調整ストラップは、面ファスナを用いている足首ストラップ。
【請求項１３】
サーフボードと共に使用されるサーフリーシュであって、該サーフリーシュは、
ａ）サーフボードの損傷を防ぐよう構成され、かつ複数の加熱プレスされた緩衝材を備える、クッションボードストラップと、
ｂ）足首ストラップと、
ｃ）連結部品とを備え、
前記クッションボードストラップは、前記連結部品を介して前記足首ストラップと連結されているサーフリーシュ。
【請求項１４】
請求項１３に記載のサーフリーシュであって、前記足首ストラップは、複数の加熱プレスされた緩衝材を有するクッション足首ストラップであるサーフリーシュ。
【請求項１５】
請求項１４に記載のサーフリーシュであって、前記クッション足首ストラップは、ポリマー発泡体多孔質材料から形成されているサーフリーシュ。
【請求項１６】
請求項１４に記載のサーフリーシュであって、前記クッション足首ストラップは、ゴム材料から形成されているサーフリーシュ。
【請求項１７】
請求孔１６に記載のサーフリーシュであって、前記ゴム材料はネオプレンであるサーフリーシュ。
【請求項１８】
請求項１３に記載のサーフリーシュであって、前記クッションボードストラップは、ポリマー発泡体多孔質材料から形成されているサーフリーシュ。
【請求項１９】
請求項１３に記載のサーフリーシュであって、前記クッションボードストラップはゴム材料から形成されているサーフリーシュ。
【請求項２０】
請求項１９に記載のサーフリーシュであって、前記ゴム材料はネオプレンであるサーフリーシュ。
【請求項２１】
サーフリーシュの構成要素を製造する方法であって、
ａ）サーフリーシュの連結部品を、加熱プレスされた緩衝材片の上に配置する工程と、
ｂ）加熱プレスされた緩衝材片をサーフリーシュの連結部品の周囲にて折り畳んで、サーフリーシュの連結部品が、その折り畳まれた加熱プレスされた緩衝材片から突出するようにする工程と、
ｃ）前記折り畳まれた、加熱プレスされた緩衝材片を、折り畳まれた形態に固定する工程と、
ｄ）前記折り畳まれて加熱プレスされた緩衝材片に、調整可能なストラップを固着する工程と、からなる方法。
【請求項２２】
請求項２１に記載の方法であって、前記サーフリーシュの構成要素は、ボードストラップである方法。
【請求項２３】
請求項２２に記載の方法であって、ボード繋留要素を前記調整可能なストラップに連結させる工程をさらに含む方法。
【請求項２４】
請求項２１に記載の方法であって、前記サーフリーシュの構成要素は、足首ストラップである方法。
【請求項２５】
請求項２１に記載の方法であって、前記加熱プレスされた緩衝材片は、ポリマー発泡体多孔質材料から形成されている方法。
【請求項２６】
請求項２１に記載の方法であって、前記加熱プレスされた緩衝材片は、ゴム材料から形成されている方法。
【請求項２７】
請求項２６に記載の方法であって、前記ゴム材料はネオプレンである方法。
【請求項２８】
請求項２１に記載の方法であって、前記調整可能なストラップは面ファスナを用いている方法。
【発明の詳細な説明】
【技術分野】
【０００１】
本発明は、概してリーシュに関し、より詳細には、サーフリーシュおよびその製造方法に関する。
【背景技術】
【０００２】
リーシュは、物体の紛失を防ぐために使用される。例えば、サーフリーシュは、サーフボードの紛失を防ぐために使用され得る。図１に示すように、サーフリーシュは、その一端がサーフボードに、その反対側の端がサーファーに取り付けられる。従って、サーファーがサーフボードから落下しても、サーフボードはサーファーの近隣に残るであろう。
【０００３】
図２は、典型的な先行技術のサーフリーシュを示す。サーフボードは、サーフボードのデッキと同一平面上にある凹状のカップ部を有する。図２に示すサーフリーシュは、織成体（ｗｅｂｂｉｎｇ  ）から形成される。図２に示すようなサーフリーシュは、図２に示すように織成体のストラップがサーフボードを擦るために、時間が経過するとサーフボードに損傷を与え得る。さらに、このようなサーフリーシュは、紐の結び目によってサーフボードに連結される。従って、サーフリーシュをサーフボードから取り外すのが困難である。
【発明の開示】
【発明が解決しようとする課題】
【０００４】
従って、サーフボードに損傷を与えないサーフリーシュが必要である。サーフリーシュはまた、サーフボードから容易に脱着可能でなければならない。
【課題を解決するための手段】
【０００５】
本発明は、サーフリーシュおよびその製造方法に関する。サーフリーシュの構成要素（ボードストラップおよび足首ストラップ）は、緩衝材を備えている。
【０００６】
本発明によれば、緩衝材付きボードストラップ（以下、クッションボードストラップと称する）は、緩衝材付きストラップ部材（以下、クッションストラップ部材と称する）と連結具とを備える。前記クッションストラップ部材は、第一端と、第一端の反対側の第二端と、複数の加熱プレスされた緩衝材とを備え、連結具は、クッションストラップ部材の第一端においてクッションストラップ部材に連結されている。
【０００７】
本発明の別の態様によれば、ボードストラップ部材は、ボード繋留要素を含み、同ボード繋留要素は、クッションストラップ部材の第二端に連結されている。
【０００８】
本発明の更なる別の態様によれば、ボードストラップは、調整可能なストラップをさらに備え、この調整可能なストラップを介して、ボード繋留要素がクッションストラップ部材に取り付けられている。
【０００９】
さらに本発明の別の態様によれば、ボードストラップ部材の調整可能なストラップは、面ファスナ（a hook and loop connector)を用い得る。ボードストラップのクッションストラップ部材は、ポリマー多孔質発泡体材料またはネオプレン等のゴム材料から形成され得る。
【００１０】
本発明の更なる態様によれば、緩衝材付き足首ストラップ（以下、クッション足首ストラップと称する）は、クッションストラップ部材を有し、このクッションストラップ部材は、第一端と、第一端の反対側の第二端と、複数の加熱プレスされた緩衝材とを有する。クッション足首ストラップはまた、調整ストラップを有し、調整ストラップは第一端を第二端に輪状に取り付け、かつクッションストラップ部材の周長を変更することが可能である。
【００１１】
さらに本発明の更なる態様によれば、クッション足首ストラップのクッションストラップ部材は、ポリマー多孔質発泡体材料またはネオプレン等のゴム材料から形成され得る。足首ストラップの調整ストラップは、面ファスナを用い得る。
【００１２】
本発明の別の態様によれば、サーフリーシュは、クッションボードストラップと、足首ストラップと、クッションボードストラップを足首ストラップに連結させる連結部品とを有する。
【００１３】
さらに本発明の別の態様によれば、足首ストラップは、クッション足首ストラップである。
【００１４】
本発明の更なる別の態様によれば、クッションボードストラップは、ポリマー多孔質発泡体材料またはネオプレン等のゴム材料から形成され得る。クッション足首ストラップは、ポリマー多孔質発泡体材料またはネオプレン等のゴム材料から形成され得る。
【００１５】
本発明の更なる態様によれば、サーフリーシュの構成要素は、サーフリーシュの連結部品を、加熱プレスされた緩衝材片の上に配置する工程と、サーフリーシュの連結部品が、折り畳まれて加熱プレスされた緩衝材片から突出するように、加熱プレスされた緩衝材片をサーフリーシュの連結部品の周囲にて折り畳む工程と、折り畳まれて加熱プレスされた緩衝材片を、折り畳まれた形態に固定する工程と、折り畳まれて加熱プレスされた緩衝材片に、調整可能なストラップを固着する工程とから製造される。
【００１６】
本発明の更なる別の態様によれば、サーフリーシュの構成要素は、ボードストラップまたは足首ストラップである。サーフリーシュの構成要素がボードストラップである場合は、ボード繋留要素が調整可能なストラップに連結され得る。
【００１７】
さらに本発明の更なる態様によれば、加熱プレスされた緩衝材片は、ポリマー多孔質発泡体材料またはネオプレン等のゴム材料から形成される。調整可能なストラップは、面ファスナを用い得る。
【００１８】
本発明のこれらの特徴は他の特徴と共に、図面を参照することによってより明らかとなろう。
【発明を実施するための最良の形態】
【００１９】
本発明は、サーフボードに損傷を与えないサーフリーシュに関するものである。本発明のサーフリーシュは、サーフリーシュのボードストラップ部の寸法を大きくすることによって、サーフボードにかかる圧力を低減させる。本発明は、図面に示し、かつ下記により詳細に説明するように、枕状の緩衝体を提供することによって、サーフボードにかかる圧力および応力を吸収する。それに加えて、本発明のサーフリーシュは、サーフボードから容易に取り外すことが可能である。
【００２０】
本発明の好ましい実施態様を説明することを目的とする図面を参照する。これらの図面は、本発明を限定することを目的としない。図１は、サーフボードとサーファーとに取り付けられた、サーフリーシュを伴うサーファーを具体的に示すものである。サーフボードは、ボードストラップとの接続のために、凹形のプラグまたはカップを備える。凹形のカップは、サーフボードを製造する工程においてサーフボード内に嵌め込まれる。本発明のサーフリーシュの一端は、プラグに連結される。サーフリーシュの反対側の端は、サーファーの足首に取り付けられる。
【００２１】
本発明のサーフリーシュは、（図３および図７に示す）ボードストラップ部２０と、（図８および図１２に示す）足首ストラップ部５０とを備える。ボードストラップ部２０と足首ストラップ部５０とは、例えばチューブ等によって互いに接続される。
【００２２】
本発明のボードストラップ部２０は、圧力を吸収して、サーフボードの損傷を防止する軟質材料から製造される。ボードストラップ部２０は、後に説明する加熱プレス工程を使用して、枕状の緩衝体を形成するように構成されることが好ましい。ボードストラップ部２０は、主として、ポリマー多孔質発泡体材料またはネオプレン等のゴム材料から形成されることが好ましい。ポリマー多孔質発泡体材料の内側はフォーム（ｆｏａｍ）状であって緩衝効果を提供し、外側は、例えばサーフボードまたはウエットスーツと一致する色等の任意の色を有し得る、防水性の布である。
【００２３】
図４〜図６は、図３および図７に示すボードストラップ部２０の、典型的な製造方法を示す。図４に示すように、ボードストラップ部２０は主として、ポリマー多孔質発泡体材料のような軟質の弾性材料から形成される緩衝材片３０から形成される。緩衝材片３０は、長さ約３７．３５ｃｍ（約１４−５／１６インチ）、および幅約７．６２ｃｍ（約３インチ）の矩形であることが好ましい。緩衝材片３０は、その中心部に位置する隆起したパターンを有する細長片（以下、パターン細長片と称する）３２を備えることが好ましい。パターン細長片３２は、約３４．２９ｃｍ（約１３−１／２インチ）の長さを有し、パターン細長片３２の一端は、緩衝材片３０の一端から約０．４８ｃｍ（約３／１６インチ）離間され、パターン細長片３２の反対側の端は、緩衝材片３０の反対側の端から約１．５９ｃｍ（約５／８インチ）離間されていることが好ましい。パターン細長片３２は、約２．５４ｃｍ（約１インチ）の幅を有し、かつ緩衝材片３０の各側面から約２．５４ｃｍ（約１インチ）離間されていることが好ましい。
【００２４】
図４は、パターン細長片の一例を示す。多数の変更が可能であることが理解されよう。典型的な実施態様において、パターン細長片３２は、加熱プレス工程を使用して形成される。加熱プレス工程は、材料が隆起したパターン以外の部分を圧縮する。即ち、パターン細長片３２内の隆起したパターンの部分は、緩衝材片３０の元の深さを有する。パターン細長片３２のパターン内の圧入部分と、パターン細長片３２の外側の緩衝材片３０の一部（例、緩衝材片３０の縁部）とは、元の深さの分数である深さにまで（例、元の深さの３分の１、即ち約０．２４ｃｍ（約３／３２インチ）から約０．０８ｃｍ（約１／３２インチ）まで）圧縮される。緩衝材片３０は、打抜きプロセスによって形成され得る孔３４を備える。孔は、約０．６４ｃｍ（約１／４インチ）の直径を有し、かつ緩衝材片３０の一端から約１１．７５ｃｍ（約４−５／８インチ）の箇所に配置されている。
【００２５】
図５に示すように、緩衝材片３０を、面（好ましくは平面）の上に、内側（フォーム面）を上向きにして配置する。連結具３８を備えた固定細長片３６を、連結具３８と孔３４とが一直線上に並ぶように、緩衝材片３０のパターン細長片３２の上に配置する。連結具３８は、旋回式連結具（ｓｗｉｖｅｌ  ｃｏｎｎｅｃｔｏｒ）であって、かつ真鍮等の耐水性金属から構成されることが好ましい。連結具３８は、ボードストラップ部２０を（図８および図１２に示され、後に説明する）足首ストラップ部５０に接続する接続具（例、チューブ）に、ボードストラップ部２０を連結するために使用される。その後、図６に示すように、緩衝材片３０を折り畳む。（パターン細長片３２の縁で）側面を折り返し、連結具３８が図６に示すように孔３４から突出して、ボードストラップ部２０の一端に配置されるように、端部を孔３４において折り畳む。その後、緩衝材片が永久に図６に示す折畳み形態を保つように、折り畳んだ緩衝材片を、例えば縫い付けることによって固着する。
【００２６】
その後、緩衝材片３０に固定細長片を取り付ける。固定細長片は調整可能であることが好ましい。例えば固定細長片は、図６に示すように、ＶＥＬＣＲＯ（登録商標）のような面ファスナから形成され得る。図６に示す固定細長片は、非ＶＥＬＣＲＯ（登録商標）部分４１と、ＶＥＬＣＲＯ（登録商標）のフック部の細長片部分４０と、ＶＥＬＣＲＯ（登録商標）のループ部の細長片部分４２とを有するＶＥＬＣＲＯ（登録商標）細長片である。固定細長片は、ボード繋留要素４４を把持する。ボード繋留要素４４は、サーフボードの留め金（凹形のカップ内の棒材）の周囲に固定される。ボード繋留要素４４は、図６に示すように紐であり得る。図６に示すように、固定細長片が（例えば、縫い付けることによって）緩衝材片３０に取り付けられて、図３〜図７に示す、本発明のボードストラップ部２０が製造される。ボード繋留要素４４は、調整可能な固定細長片を介してボードストラップ２０に取り付けられているため、サーフボードからサーフリーシュを容易に取り外すことができる。例えば、サーフリーシュは、面ファスナを開放することによってサーフボードから取り外すことができる。これとは対照的に、先行技術のサーフリーシュは、サーフボードから取り外すのがより困難であった。例えば、先行技術のサーフリーシュは、サーフリーシュを取り外すために、結び目を解く必要があった。
【００２７】
図８および図１２は、本発明に従って形成された足首ストラップ部５０を示す。図８は、足首ストラップ部５０の使用時の状態を示し、図１２は、足首ストラップ部を広げた時の状態を示す。図９〜図１１は、足首ストラップ５０の典型的な製造方法を示す。
【００２８】
足首ストラップ部５０は、主として、ポリマー多孔質発泡体材料またはネオプレン等のゴム材料から形成され得る緩衝材片６０から形成される。ポリマー多孔質発泡体材料は、内側に発泡体を有しかつ外側に防水性の布を有することが好ましい。典型的な実施態様において、緩衝材片６０は矩形であり、約２６．８３ｃｍ（約１０−９／１６インチ）の長さ、および約１１．７５ｃｍ（約４−５／８インチ）の幅を有する。クッション部分６２は、緩衝材片６０の長さに沿った中心部に配置されている。図９に示す典型的な実施態様において、クッション部分６２は、複数の楕円形の緩衝材を有する。クッション部分は、約５．７２ｃｍ（約２−１／４インチ）の幅を有することが好ましい。クッション部分６２の両側に、緩衝材片６４が配置されていることが好ましい。ボードストラップ２０に関して上述したものと同様に、クッション部分６２および緩衝材片６４を加熱プレスして、非パターン部分を（例えば、元の深さの約０．４８ｃｍ（３／１６インチ）から約０．１６ｃｍ（１／１６インチ）まで）圧縮する。
【００２９】
図１０に示すように、緩衝材片６０を、面（好ましくは平面）の上に、フォーム状部分（内側）を上向きにして配置する。内部ストラップ部分６７は、緩衝材片６０上のクッション部分６２の上部に配置される。内部ストラップ部分は織成体の一片であり、かつ約２５．４ｃｍ（約１０インチ）の長さ、および約３．８１ｃｍ（約１−１／２インチ）の幅を有することが好ましい。緩衝材片６０には、長手方向の側面の各々に切り欠き６６が形成されている。連結具ホルダ６８を、連結具ホルダが緩衝材片６０の切り欠き６６と整合するように、内部ストラップ部分６７の上に配置する。典型的な実施態様において、連結具ホルダは、プラスチックから形成されている。旋回式留め具（ｓｗｉｖｅｌ  ｃｌｉｐ）等の連結具（図示せず）を、連結具ホルダ６８内に嵌め込む。連結具ホルダ６８の周囲において切り欠き６６が孔を形成するように、緩衝材片６０を折り畳む。図１１に示すように、連結部品６８の両側に、緩衝材片６０の長さに沿って、隆起した緩衝材片６４が配置されている。緩衝材片６０は、例えば縫い付けることによって図１１に示す折畳み形態に固着される。
【００３０】
調整ストラップが、足首ストラップ部５０に取り付けられる。図１２に示す典型的な実施態様において、調整ストラップは、面ファスナ（例、ＶＥＬＣＲＯ（登録商標））を用いている。典型的な実施態様において、調整ストラップは、連結具ホルダ６８の上部に適合するストラップ部分７０を備える。図１２に示す典型的な実施態様において、調整ストラップは、その一端にＶＥＬＣＲＯ（登録商標）のフック部の細長片７２を有し、反対側の端にＶＥＬＣＲＯ（登録商標）のループ部の細長片７４を有する。面ファスナによって、足首ストラップの容易な調整が可能になる。
【００３１】
当業者には、本発明の付加的な変更および改良もまた自明であろう。従って、本願に記述および説明される部分の特定の組み合わせは、単に本発明の特定の実施態様を表すことを意図し、代替的な器具を本発明の趣旨および範囲内に限定することを意図するものではない。
【図面の簡単な説明】
【００３２】
【図１】サーフリーシュを使用したサーファーをする人を示す具体的な図。
【図２】先行技術のサーフリーシュによるサーフボードの損傷を示す具体的な図。
【図３】本発明に従って形成されたサーフリーシュのボードストラップ部の上面斜視図。
【図４】図４に示すサーフリーシュのボードストラップ部の製造工程を示す図。
【図５】図４に示すサーフリーシュのボードストラップ部の製造工程を示す図。
【図６】図４に示すサーフリーシュのボードストラップ部の製造工程を示す図。
【図７】図３に示すサーフリーシュのボードストラップ部の底部斜視図。
【図８】本発明に従って形成されたサーフリーシュの足首ストラップ部の使用時の状態の斜視図。
【図９】図８に示すサーフリーシュの足首ストラップ部の製造工程を示す図。
【図１０】図８に示すサーフリーシュの足首ストラップ部の製造工程を示す図。
【図１１】図８に示すサーフリーシュの足首ストラップ部の製造工程を示す図。
【図１２】開放状態にある、図８に示すサーフリーシュの足首ストラップ部の斜視図。
【国際公開パンフレット】
2004526615.tif 000003
2004526615.tif 000004
2004526615.tif 000005
2004526615.tif 000006
2004526615.tif 000007
2004526615.tif 000008
2004526615.tif 000009
2004526615.tif 000010
2004526615.tif 000011
2004526615.tif 000012
2004526615.tif 000013
2004526615.tif 000014
2004526615.tif 000015
2004526615.tif 000016
2004526615.tif 000017
2004526615.tif 000018
2004526615.tif 000019
【国際調査報告】
2004526615.tif 000020